(57)【要約】【課題】干渉軽減イヤホーンの提供。【解決手段】本考案は一種の干渉軽減イヤホーン、特に一組のマイクをスピーカ前方の軸方向とイヤホーンのハウジングに設ける。そのうち一つのマイクを安静な耳道内部に設け、耳道から発生する音波を受信する。さらに、イヤホーンハウジングに設けるマイクで話者の口から話す音声を受診する。このマイクセットにより、音波の受信状態を相互に補助し、低い音量の音源をそれぞれに拾い取って、高い音量に集める。さらに、イヤホーンハウジングに設けるマイクの受信感度をやや低い範囲に設定し、前記耳道内部に設けるマイクの音源収集の補助し、低い音量の外部干渉源のみを拾い集めて、より聞き取りやすい通話を実現するイヤホーン設計である。【選択図】図１
0003125924.tif 000002
【実用新案登録請求の範囲】
【請求項１】
ハウジング、スピーカ、前蓋およびマイクセットなどの構成要素より構成される一種の干渉軽減イヤホーンにおいて、
主にイヤホーンハウジング内部にスピーカを設け、話者の送話音声を受信し、イヤホーンハウジングの先端部に複数の孔を備えた前蓋の中央場所に、中央部に孔を設ける収容区間を設け、該収容区間にマイクを設け、イヤホーンハウジングにもマイクを設けることにより、
イヤホーンを耳道に取り付けるとき、スピーカとマイクともに耳孔に挿入し、そのうち一つのマイクは外部干渉を受けない安静な耳道において、耳道から発生する音波を受信するほか、イヤホーンハウジングに備えるマイクより、話者の送話音声を受信し、マイクセットは内外部において、受音状況を相互に補助し、低い音量の音源を拾って大きい音量の音源に集めた上、マイクが低い音量の外部干渉源を拾う特性を利用し、耳道内部に備えるマイクと合せて、外部干渉源を軽減し、より明確な通話を実現することを特徴とする干渉軽減イヤホーン。
【請求項２】
請求項１記載の干渉軽減イヤホーンにおいて、イヤホーンハウジングに、マイクの音源収集するための孔を設けることを特徴とする干渉軽減イヤホーン。
【請求項３】
ハウジング、スピーカ、前蓋およびマイクセットなどの構成要素より構成され、
イヤホーンハウジング内部に無線受発信電気回路と電池を設け、イヤホーンハウジングの前方に複数の孔を備える前蓋を設け、該前蓋に中央部に孔を備える収容区間を設け、該収容区間にマイクを設け、イヤホーンハウジングはさらに一つのマイクを設けることにより、
イヤホーンを耳道に取り付けるとき、スピーカとマイクとも耳孔に挿入し、そのうち一つのマイクは外部干渉を受けない安静な耳道において、耳道から発生する音波を受信するほか、イヤホーンハウジングに備えるマイクより、話者の送話音声を受信し、マイクセットは内外部において、受音状況を相互に補助し、低い音量の音源を拾って大きい音量の音源に集めた上、マイクが低い音量の外部干渉源を拾う特性を利用し、耳道内部に備えるマイクと合せて、外部干渉源を軽減し、より明確な通話を実現することを特徴とする干渉軽減イヤホーン。
【請求項４】
請求項３記載の干渉軽減イヤホーンにおいて、イヤホーンハウジングのマイクケース外部に、マイクの音源収集するための孔を設けることを特徴とする干渉軽減イヤホーン。
【考案の詳細な説明】
【技術分野】
【０００１】
本考案は一種の干渉を低減するイヤホーンに関わるものである。
【背景技術】
【０００２】
公知技術の携帯電話３３のイヤホーン３設計は図５に示す通り、イヤホーン３のスピーカ３１下部の特定場所で新たにマイク３２を設けて、送受話の機能を実現する。しかしながら、この種の設計は、通話するとき該マイク３２は外部環境の影響により、送話音声が干渉を受けるため、送話の品質を低下させる。その上、通話するときは該マイク３２を口元に近づけないと、受話先に明確な音声を届けることができないため、使用の不便をきたす。
【０００３】
公知技術のもう一種のイヤホーン４の設計は図６に示すとおり、一種の無線式イヤホーン４である。伝送線の煩わしさをなくしているが、高価なほか、本体が大きい。さらに、その設計は拡張アーム４１本体の後部にスピーカ４２を設け、該拡張アーム４１の端部にマイク４３を設けることにより、受送話を実現する。なお、鉤手４４を耳上部に掛けて使用する。しかしながら、この種のイヤホーン４も同じく環境の騒音に影響を受けるほか、本体が大きいという欠点がある。
【０００４】
公知技術もう一種のイヤホーン設計は図７に示すとおり、主にイヤホーン５先端に備える前蓋５２中央場所の収容区間５３にマイク５４を設け、マイク５４をスピーカ５１の前方位置に取付ることにより、該マイク５４は外部干渉源のない耳道内において、耳道から発生する音波を受信し、外部の干渉音源を遮断する。しかしながら、この種の設計はマイク５４とスピーカ５１とも耳道内の同じ密閉した腔室に設けるため、スピーカ５１の発信音声がマイク５４によって受信し、エコーの問題を引き起こす。マイク５４の感度を引き下がることにより、このエコーの問題は改善されるが、ただし、送話品質に影響を与えるため、受話先は明確な送話音声を聞き取ることができない。
【考案の開示】
【考案が解決しようとする課題】
【０００５】
本考案の主目的は、一組のマイクをスピーカ前方の軸方向およびイヤホーンハウジングにそれぞれ設け、該マイクセットにより、受話状態を相互に補助し、低い音量の音源を拾い取り、大きい音量の音源に集める。さらにイヤホーンハウジングに設けるマイクの受音感度をやや低い範囲に設定しておく、前記耳道内に取り付けるマイク音源を補助することにより、低い音量の外部干渉源のみを拾うことで、より明確な通話を実現するイヤホーン構造により、通話品質の大幅な向上を提供する。
【課題を解決するための手段】
【０００６】
請求項１の考案は、ハウジング、スピーカ、前蓋およびマイクセットなどの構成要素より構成される一種の干渉軽減イヤホーンにおいて、
主にイヤホーンハウジング内部にスピーカを設け、話者の送話音声を受信し、イヤホーンハウジングの先端部に複数の孔を備えた前蓋の中央場所に、中央部に孔を設ける収容区間を設け、該収容区間にマイクを設け、イヤホーンハウジングにもマイクを設けることにより、
イヤホーンを耳道に取り付けるとき、スピーカとマイクともに耳孔に挿入し、そのうち一つのマイクは外部干渉を受けない安静な耳道において、耳道から発生する音波を受信するほか、イヤホーンハウジングに備えるマイクより、話者の送話音声を受信し、マイクセットは内外部において、受音状況を相互に補助し、低い音量の音源を拾って大きい音量の音源に集めた上、マイクが低い音量の外部干渉源を拾う特性を利用し、耳道内部に備えるマイクと合せて、外部干渉源を軽減し、より明確な通話を実現することを特徴とする干渉軽減イヤホーンとしている。
請求項２の考案は、請求項１記載の干渉軽減イヤホーンにおいて、イヤホーンハウジングに、マイクの音源収集するための孔を設けることを特徴とする干渉軽減イヤホーンとしている。
請求項３の考案は、ハウジング、スピーカ、前蓋およびマイクセットなどの構成要素より構成され、
イヤホーンハウジング内部に無線受発信電気回路と電池を設け、イヤホーンハウジングの前方に複数の孔を備える前蓋を設け、該前蓋に中央部に孔を備える収容区間を設け、該収容区間にマイクを設け、イヤホーンハウジングはさらに一つのマイクを設けることにより、
イヤホーンを耳道に取り付けるとき、スピーカとマイクとも耳孔に挿入し、そのうち一つのマイクは外部干渉を受けない安静な耳道において、耳道から発生する音波を受信するほか、イヤホーンハウジングに備えるマイクより、話者の送話音声を受信し、マイクセットは内外部において、受音状況を相互に補助し、低い音量の音源を拾って大きい音量の音源に集めた上、マイクが低い音量の外部干渉源を拾う特性を利用し、耳道内部に備えるマイクと合せて、外部干渉源を軽減し、より明確な通話を実現することを特徴とする干渉軽減イヤホーンとしている。
請求項４の考案は、請求項３記載の干渉軽減イヤホーンにおいて、イヤホーンハウジングのマイクケース外部に、マイクの音源収集するための孔を設けることを特徴とする干渉軽減イヤホーンとしている。
【考案の効果】
【０００７】
本考案は一種の干渉軽減イヤホーン、特に一組のマイクをスピーカ前方の軸方向とイヤホーンのハウジングに設ける。そのうち一つのマイクを安静な耳道内部に設け、耳道から発生する音波を受信する。さらに、イヤホーンハウジングに設けるマイクで話者の口から話す音声を受診する。このマイクセットにより、音波の受信状態を相互に補助し、低い音量の音源をそれぞれに拾い取って、高い音量に集める。さらに、イヤホーンハウジングに設けるマイクの受信感度をやや低い範囲に設定し、前記耳道内部に設けるマイクの音源収集の補助し、低い音量の外部干渉源のみを拾い集めて、より聞き取りやすい通話を実現するイヤホーン設計である。
【考案を実施するための最良の形態】
【０００８】
図１、図２および図３に示すとおり、本考案は主にイヤホーンハウジング１内部にスピーカ１１を設けて送話音声を受信する。イヤホーンハウジング１先端に複数の孔１２１を備える前蓋１２の中央場所にその中央部が孔１２２１を備える収容区間１２２を設け、該収容区間１２２内部にマイク１３を設ける。このような構成要素により、イヤホーンを耳道Ａに取り付けた後、スピーカ１１とマイク１３とも合せて耳孔に進入し、マイク１３は耳道Ａより、発声部から発生する音波を拾い取って、音波は耳道Ａより該マイク１３を介して送出する。さらに、イヤホーンハウジング１にマイク１４を設けることにより、そのうち一つのマイク１３を外部干渉源がない耳道Ａ内部において、耳道Ａ内部の発生音波を受話する共に、イヤホーンハウジング１に備えるマイク１４により、話者の口から話す音声を受信する。エコーを防止するため、該マイク１３はやや低い感度のものを使用し、余分なスピーカ１１出力音源の受信を避ける。さらに、イヤホーンハウジング１に備えるマイク１３の受音感度をやや低い範囲に設定しておく、前記耳道Ａ内部のマイク１３音源捕捉の補助とする。マイクセット１３、１４により、内外部において、受音状況を相互に補助し、低い音量の音源を拾い、高い音量の音源に集める。さらに、マイク１４の低い音量の収集特性を利用し、該耳道Ａ内部に取り付けるマイク１３と共に、外部干渉源を軽減し、より明確な通話を実現する。イヤホーンハウジング１に、該マイク１４が音源を収集するための孔１４１を設ける。
【０００９】
本考案はさらに無線受発信電気回路２５を設けることにより、ブルトゥズの無線式イヤホーンとして、この無線受発信電気回路２５用の電池２６を設ける。該無線式イヤホーンに複数の孔２２１を備える前蓋２２に中央場所に孔２２２１を備える収容区間２２２を設け、該収容区間２２２にマイク２３を設ける。この種の無線受発信電気回路２５の設計により、電気回路に備えたエコー除去回路でもって消去する。しかし、コスト高である。そこで、コストを軽減するため、イヤホーンハウジング２にマイク２４を設けて、一つのマイク２３を外部干渉源のない安静な耳道Ａ内部において、耳道Ａの発生音波を受信する共に、イヤホーンハウジング２に備えるマイク２４により話者の口から話す音声を受信する。さらに、エコーを防止するため、該マイク２３は低感度のものを使用し、余分なスピーカ２出力音源の収集を避ける。さらに、イヤホーンハウジング２に備えるマイク２３の受音感度をやや低い範囲に設定し、前記耳道Ａ内マイク２３音源収集を補助する。マイクセット２３、２４により、内外部において、受音状況を相互に補助し、低い音量の音源を拾って大きい音量の音源に集める。なお、マイク２４は低い音量の外部干渉源を拾う特性があるため、耳道Ａ内部のマイク２３と合せて、外部干渉源を軽減し、より明確な通話をはかるため、図４に示すとおり、イヤホーンハウジング２に該マイク２４の音源収集するための孔２４１を設ける。
【図面の簡単な説明】
【００１０】
【図１】本考案の好ましい実施例による立体分解図である。
【図２】本考案の組合せ断面図である。
【図３】本考案を耳で使用するときの実施態様図である。
【図４】本考案を無線式イヤホーンで使用するときの実施断面図である。
【図５】公知技術のイヤホーン立体図である。
【図６】公知技術のもう一種のイヤホーンの立体図である。
【図７】公知技術のさらなる一つのイヤホーンの断面図である。
【符号の説明】
【００１１】
１、２、５  ハウジング
１１、２１、３１、４２、５１  スピーカ
１２、２２、５２  前蓋
１２１、１２２１、１４１、２２１、２２２１、２４１  孔
１２２、２２２、５３  収容区間
１３、１４、２３、２４、３２、４３、５４  マイク
２５  無線受発信電気回路
２６  電池
３、４  イヤホーン
３３  携帯電話
４１  拡張アーム
４４  鉤手
Ａ  耳道
【図１】
0003125924.tif 000003
【図２】
0003125924.tif 000004
【図３】
0003125924.tif 000005
【図４】
0003125924.tif 000006
【図５】
0003125924.tif 000007
【図６】
0003125924.tif 000008
【図７】
0003125924.tif 000009